(57)【特許請求の範囲】
【請求項１】
床パネルに形成された凹部の側面に排水口を設けるとともに、前記凹部にトラップ形成部材を配置した排水トラップ一体パネルであって、
前記凹部は、底部に向かうに従って次第に内寸を小さくする内周形状に設けられ、
前記トラップ形成部材は、下端に向かうに従って外寸を小さくする形状に設けられているとともに、下端が前記排水口よりも下方であって凹部底面から所定距離上方に位置する状態で前記凹部内に位置する筒状部と、この筒状部の上端に連設されるとともに当該筒状部と共に臭気を遮断する臭気遮断部とを含み、
前記筒状部は、前記排水口との間に空間を形成する状態で当該排水口の内方に位置する仕切面部と、この仕切面部の幅方向両端を結んで平面視閉ループを形成する湾曲面部とにより構成される一方、前記臭気遮断部は前記湾曲面部が位置する側の反対方向に向かって連設され、
前記臭気遮断部の外縁と、前記湾曲面部の外周面とが前記凹部内周面に接することで前記トラップ形成部材が凹部内に支持されることを特徴とする排水トラップ一体型床パネル。
【発明の詳細な説明】
【技術分野】
【０００１】
本発明は排水トラップ一体型床パネルに係り、更に詳しくは、浴室ユニットやシャワーユニット等に用いることに適した排水トラップ一体型床パネルに関する。
【背景技術】
【０００２】
浴室等の床パネルにおいては、設置現場での施工の簡易化を図るために、排水トラップを一体に備えた床パネルが提供されるに至っている（例えば、特許文献１参照）。
【特許文献１】実開平５−４０３７７号公報
【発明の開示】
【発明が解決しようとする課題】
【０００３】
特許文献１に記載された排水トラップ一体型床パネルは、床パネルに凹部を一体に設けるとともに、当該凹部の側面に排水口を形成し、凹部に円筒状の水受部と、当該水受部の内側に鍔付き円筒部材を配置して排水トラップを形成する構成となっている。
しかしながら、このような排水トラップ一体型床パネルは、排水トラップを構成する部品点数が増大する他、部品点数を削減した排水トラップとするためには、凹部の内部形状を複雑化させる、という不都合がある。
【０００４】
［発明の目的］
本発明は、このような不都合に着目して案出されたものであり、その目的は、凹部の形状を複雑にすることなく、最小部品点数で排水トラップを構成することのできる排水トラップ一体型床パネルを提供することにある。
【課題を解決するための手段】
【０００９】
前記目的を達成するため、本発明は、床パネルに形成された凹部の側面に排水口を設けるとともに、前記凹部にトラップ形成部材を配置した排水トラップ一体パネルであって、
前記凹部は、底部に向かうに従って次第に内寸を小さくする内周形状に設けられ、
前記トラップ形成部材は、下端に向かうに従って外寸を小さくする形状に設けられているとともに、下端が前記排水口よりも下方であって凹部底面から所定距離上方に位置する状態で前記凹部内に位置する筒状部と、この筒状部の上端に連設されるとともに当該筒状部と共に臭気を遮断する臭気遮断部とを含み、
前記筒状部は、前記排水口との間に空間を形成する状態で当該排水口の内方に位置する仕切面部と、この仕切面部の幅方向両端を結んで平面視閉ループを形成する湾曲面部とにより構成される一方、前記臭気遮断部は前記湾曲面部が位置する側の反対方向に向かって連設され、
前記臭気遮断部の外縁と、前記湾曲面部の外周面とが前記凹部内周面に接することで前記トラップ形成部材が凹部内に支持される、という構成を採ることができる。
【発明の効果】
【００１０】
本発明によれば、排水口が側面に形成された凹部の内周面を利用してトラップ形成部材を支持したから、当該トラップ形成部材を凹部内に収めた状態で排水口との間に空間を形成して封水を行うことができる。
また、トラップ形成部材が筒状部を含む形状であれば、構成部材の形状をシンプルなものとすることができ、凹部内周面との相対形状を利用してトラップ形成部材の支持を行うことができる。
更に、前記筒状部の上部に臭気遮断部を設けた構成によれば、筒状部と排水口との間に空間を形成する状態でトラップ形成部材を支持可能としても、前記空間の上部が閉塞される構成となり、排水口からの臭気が漏れることを防止できる。また、臭気遮断部を掴んでトラップ形成部材を保持できるので、当該トラップ形成部材を洗浄する際の作業性もよい。
また、トラップ形成部材を仕切面部と臭気遮断部とにより構成した場合には、トラップ形成部材を簡易な構成とすることができ、更に、仕切面部に支持安定部を設けることで、凹部内におけるトラップ形成部材の支持を一層安定して行うことができる。
【発明を実施するための最良の形態】
【００１１】
以下、本発明の好ましい実施の形態について図面を参照しながら説明する。
【００１２】
図１には本実施形態に係る排水トラップ一体型床パネルの要部断面図が示され、図２には、トラップ形成部材の概略斜視図が示されている。これらの図において、排水トラップ一体型床パネルは、床パネル１１と、当該床パネル１１に設けられた凹部１２と、この凹部１２内に設けられたトラップ形成部材１３とを含んで構成されている。床パネル１１は、凹部１２側に排水を導くことのできる勾配が付与されている。ここで、凹部１２は排水口配置用の上段凹部１２Ａと、当該上段凹部１２Ａの下部に連なるトラップ形成用下段凹部１２Ｂとを含み、上段凹部１２Ａには、図示しないストレーナが収容されるとともに、図１中左側には、図示しないエプロン若しくは壁パネル等の下端を突き合わせ可能な立ち上がり部１６が連設されている。
【００１３】
前記下段凹部１２Ｂは、下端側に向かうに従って縮径するテーパ状の内面形状を有する円筒状に設けられているとともに、その側面すなわち内周面１９の一部に排水口２０を形成する管状部２１が一体に形成され、当該管状部２１に図示しない排水用配管が接続されるようになっている。
【００１４】
前記トラップ形成部材１３は、図３及び図４にも示されるように、略半円筒状の筒状部２５と、この筒状部２５の上端に連設された臭気遮断部２６とを含む。筒状部２５は、排水口２０との間に空間Ｓを形成可能な形状若しくは大きさに設けられている。これを更に詳述すると、筒状部２５は、排水口２０の内方に位置する仕切面部３０と、この仕切面部３０の幅方向（図３中上下方向）両端を結んで平面視閉ループを形成する湾曲面部３１とからなる。仕切面部３０は、下方に向かうに従って幅寸法が漸減するように設けられているとともに、前記湾曲面部３１は、下段凹部１２Ｂの内周面１９に対応して下方に向かうに従って内側空間が小さくなるように形成されている。つまり、筒状部２５は、前記空間Ｓを形成した状態で、下段凹部１２Ｂの内周面１９にテーパ嵌合する形状に設けられている。なお、筒状部２５は、下段凹部１２Ｂの内周面１９でトラップ形成部材１３が支持されたときに、臭気遮断部２６の外縁が排水口２０の直近上方に位置し、下端が下段凹部１２Ｂの底面との間に前記空間Ｓに連通する底部側空間Ｓ１を形成可能な高さに設定されている。
【００１５】
前記臭気遮断部２６は、湾曲面部３１が位置する側の反対方向に向かって連設されており、平面形状が弦形状となるように設けられ、当該臭気遮断部２６の外縁と湾曲面部３１の上縁は、前記内周面１９の上部内径に一致する円を形成し、これにより、臭気遮断部２６の外縁が内周面１９に当接可能となっている。
【００１６】
本実施形態における排水トラップ一体形床パネルは、トラップ形成部材１３を下段凹部１２Ｂ内に配置するだけで封水を行うことができる。トラップ形成部材１３を下段凹部１２Ｂ内に配置するときは、臭気遮断部２６が排水口２０の上方に位置するように向きを合わせた状態で下段凹部１２Ｂ内に落とし込むようにすればよい。
これにより、湾曲面部３１の外周面は、下段凹部１２Ｂの内周面１９にテーパ嵌合することとなり、臭気遮断部２６の外縁は、排水口２０の直近上方位置における内周面１９に当接して所定位置に保たれる。
【００１７】
トラップ形成部材１３を下段凹部１２Ｂから取り外すときは、筒状部２５の下端に指先を引っ掛けて上方に引き上げることによって行うことができる。
【００１８】
従って、このような実施形態によれば、下段凹部１２Ｂの内周面１９をテーパ状とし、当該内周面１９を利用してトラップ形成部材１３が支持される構成であるから、単一のトラップ形成部材１３によって封水を行えるとともに、下段凹部１２Ｂの内面側形状も極めてシンプルな形状とすることができる。
【００１９】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２０】
例えば、トラップ形成部材１３を下段凹部１２Ｂに装着する相対位置を視覚的に理解できるようにするためのマークを下段凹部１２Ｂとトラップ形成部材１３に形成する他、下段凹部１２Ｂと湾曲面部３１の相対面に、突条部とこれに対応する凹溝を上下方向に沿って設けてもよい。
【図面の簡単な説明】
【００２６】
【図１】実施形態に係るトラップ一体型床パネルの要部概略断面図。
【図２】トラップ形成部材の概略斜視図。
【図３】トラップ形成部材の平面図。
【図４】トラップ形成部材の正面図。
【符号の説明】
【００２７】
１１…床パネル、１２…凹部、１３…トラップ形成部材、１９…内周面、２０…排水口、２５…筒状部、２６…臭気遮断部、３０…仕切面部、３１…湾曲面部、Ｓ…空間
【図１】
0004850889.tif 000002
【図２】
0004850889.tif 000003
【図３】
0004850889.tif 000004
【図４】
0004850889.tif 000005